(57)【要約】【課題】  遊技機の遊技状態を効果的に監視することができる遊技機を提供する。【解決手段】  遊技球が電動役物装置１２０の大入賞口１２１に流入し、大入賞口センサ１５３から検出信号が出力されると、撮像装置１４０が作動し、電動役物装置１２０内の遊技機が移動する経路を撮像するとともに、撮像装置１４０で撮像した撮像情報を表示装置１３０に表示する。【選択図】    図１
2005230198.tif 000002
【特許請求の範囲】
【請求項１】
流入した遊技球が入球可能な複数の領域を有する球流入装置を備え、遊技球が前記球流入装置の所定の領域に入球することによって特定遊技状態を発生させる遊技機であって、
所定の条件の成立に起因して、前記球流入装置内の遊技球が移動する経路を撮像する撮像装置と、
前記撮像装置で撮像した撮像情報を表示する表示装置を備える、
ことを特徴とする遊技機。
【発明の詳細な説明】
【技術分野】
【０００１】
本発明は、遊技機に関し、特に、遊技状態を監視する遊技機に関する。
【背景技術】
【０００２】
遊技機、例えば、パチンコ機には、開閉部材により開閉される開口部（流入口）から流入した遊技球が入球可能な特別入賞口と一般入賞口を有する球流入装置（例えば、第１種パチンコ機の大入賞装置や第２種パチンコ機の電動役物装置）を有するパチンコ機が知られている。このようなパチンコ機では、開口部から球流入装置内に流入した遊技球が特別入賞口に入球するか一般入賞口に入球するかによって、遊技者に付与される特典が異なるように構成されている。このため、遊技者は、球流入装置内に流入した遊技球の移動状態（移動軌跡）、特に、特別入賞口への入球状態に非常に関心がある。しかしながら、球流入装置内に流入した遊技球が特別入賞口に入球する状態を、遊技を行っている遊技者が視認するのが困難な場合がある。
そこで、球流入装置内に流入した遊技球が移動する領域を撮像するカメラを設けるとともに、カメラで撮像した撮像情報を表示装置に表示することにより、球流入装置に流入した遊技球の移動状態を視認可能に構成したパチンコ機が提案されている。（特許文献１参照）
【特許文献１】特開２００３−１１７１６６号公報
【発明の開示】
【発明が解決しようとする課題】
【０００３】
しかしながら、この従来のパチンコ機では、カメラは、球流入装置内に流入した遊技球が移動する領域の撮像情報を常時撮像して表示装置に表示している。
このように、従来のパチンコ機は、遊技球が球流入装置に流入していない状態であっても、球流入装置内に流入した遊技球が移動する領域をカメラで撮像するため、遊技球の移動状態、すなわち、遊技機の遊技状態を効果的に監視しているとはいえない。特に、カメラで撮像した遊技球の移動領域を表示装置に表示する場合には、遊技球が球流入装置に流入していない状態でも、球流入装置内の遊技球の移動領域が表示装置に表示されるため、球流入装置内での遊技球の移動状態（特に、特別入賞口への入球状態）を表示することにより遊技者に期待感を与える効果が低減する。
そこで、本発明が解決しようとする課題は、遊技機の遊技状態を効果的に監視することができる遊技機を提供することである。
【課題を解決するための手段】
【０００４】
前記課題を解決するための本発明の第１発明は、請求項１に記載されたとおりの遊技機である。
請求項１に記載の遊技機は、所定の条件の成立に起因して、遊技球が入球可能な複数の領域を有する球流入装置内の遊技球が移動する経路を撮像する撮像装置を備えている。
ここで、「所定の条件」としては、その条件が成立すると球流入装置内を遊技球が移動する可能性が高い条件が用いられる。例えば、球流入装置内に遊技球が流入したことを検出するセンサの動作（センサから検出信号が出力されたこと）を所定の条件として用いることができる。
また、「球流入装置」は、遊技球が流入する流入部（例えば、大入賞口）と遊技球が入球可能な複数の領域を有していればよく、流入部と領域は一体に構成されていてもよいし、別体に構成されていてもよい。「球流入装置」は、典型的には、いわゆる「第１種パチンコ機」の大入賞装置や、「第２種パチンコ機」の電動役物装置が対応する。
また、「遊技球が入球可能な領域」には、遊技球が通過するゲート等も含まれる。
また、「球流入装置内の遊技球が移動する経路を撮像する撮像装置」は、例えば、球流入装置内に流入した遊技球が通る経路、好ましくは、所定の領域に入球する経路の少なくとも一部を撮像するように配設された撮像装置が対応する。
また、「所定の条件の成立」は、撮像装置が判別してもよいし、他の装置（例えば、主制御部）が判別してもよい。他の装置が判別する場合には、撮像装置は、他の装置からの信号が入力されることにより所定の条件の成立を判別することができる。
【発明の効果】
【０００５】
請求項１に記載の遊技機を用いれば、所定の条件が成立した時に、撮像装置により球流入装置内の遊技球が移動する経路を撮像するため、球流入装置内の遊技球の移動状態、すなわち、遊技機の遊技状態を効果的に監視することができる。さらに、所定の条件が成立した時に、球流入装置内の遊技球の移動経路の撮像情報を表示装置に表示するため、遊技球の移動状態を表示することにより遊技者に期待感を与える効果を高めることができる。
【発明を実施するための最良の形態】
【０００６】
以下に、本発明の実施の形態を図面を参照して説明する。
本発明の遊技機の第１の実施の形態の構成を図１、図２を用いて説明する。
本実施の形態は、本発明を、遊技機のひとつであるパチンコ機１００に適用したものである。また、図１は、パチンコ機１００の遊技盤１１１を正面から見た図であり、図２は、パチンコ機１００の電気的回路のブロック図である。
なお、図１、図２に示すパチンコ機１００は、いわゆる「第２種パチンコ機」と呼称されるパチンコ機である。
【０００７】
パチンコ機１００の遊技盤１１１の表面に形成された遊技領域１１２には、第２種始動口１１３、１１４、電動役物装置１２０が配置されている。本実施の形態では、第２種始動口１１３が１つ配置され、その左右両側に第２種始動口１１４が２つ配置されている。なお、遊技領域１１２には、これ以外に、他の入賞口、風車、釘等が配置されている。
そして、遊技球が第２種始動口１１３に入球（入賞）したことを検出する始動口センサ１５１と、遊技球が第２種始動口１１４に入球（入賞）したことを検出する始動口センサ１５２が設けられている。
【０００８】
電動役物装置１２０は、上部に、左右一対の大入賞口１２１と、これらの大入賞口１２１を開閉する大入賞口開閉部材（羽根）１２２を有している。図１では、大入賞口開閉部材１２２が大入賞口１２１を開放する開位置に位置する状態を実線で示し、大入賞口１２１を閉鎖する閉位置に位置する状態を破線で示している。
大入賞口開閉部材１２２は、遊技球が第２種始動口１１３あるいは１１４に入球した場合や電動役物装置１２０に設けられている特別入賞口１２８に入球した場合に開閉動作する。例えば、遊技球が第２種始動口１１３に入球した場合には大入賞口開閉部材１２２が２回開閉動作し、遊技球が第２種始動口１１４に入球した場合には大入賞口開閉部材１２２が１回開閉動作する。また、第２種始動口１１３あるいは１１４への遊技球の入球により大入賞口開閉部材１２２が開動作し、大入賞口１２１が開放状態となった時に大入賞口１２１に流入した遊技球が特別入賞口１２８に入球すると、大当たり遊技状態となり、複数のラウンドが順次実行される。この各ラウンドにおいて、大入賞口開閉部材１２２が開閉動作する。
そして、大入賞口１２１に流入した遊技玉を検出する大入賞口センサ１５３が設けられている。本実施の形態では、大入賞口センサ１５３を、左右の大入賞口１２１に対応させて設けている。
【０００９】
また、電動役物装置１２０は、入賞室１２５を有している。
この入賞室１２５には、開口部１２６、床板（転動板）１２７、特別入賞口１２８．一般入賞口１２９が設けられている。本実施の形態では、床板１２７は、後方側（遊技盤１１１側）から前方（遊技者側）に向かって下るように傾斜して配設されている。開口部１２６は、床板１２７の上流側（後方側）の中央部に配置され、特別入賞口１２８は、床板１２７の下流側（前方側）の中央部に配置され、一般入賞口１２９は、床板１２７の下流側の、特別入賞口１２８の左右両側に配置されている。なお、電動役物装置１２０には、大入賞口１２２に流入した遊技球を開口部１２６に誘導するための誘導通路、保留装置、振り分け装置、棚部材等（いずれも図示省略）からなる誘導部が設けられている。電動役物装置１２０の構成、たとえば、大入賞口１２１に流入した遊技球を特別入賞口１２８あるいは一般入賞口１２９に入球させる経路の構成、特別入賞口１２８や一般入賞口１２９の数や構成、大入賞口１２１と特別入賞口１２８や一般入賞口１２９を一体あるいは別体に形成する構成等は、種々変更可能である。
そして、開口部１２６から排出された遊技球が特別入賞口１２８に入球（入賞）したことを検出する特別入賞口センサ１５４が設けられている。特別入賞口１２８及び特別入賞口センサ１５４は、Ｖ入賞口及びＶ入賞センサと呼ばれることもある。
【００１０】
また、電動役物装置１２０には、開口部１２６から排出された遊技球が、床板１２７上を転動して特別入賞口１２８や一般入賞口１２９に入球する経路（好ましくは、特別入賞口１２８に入球する経路）を撮像可能な撮像装置（例えば、ＣＣＤカメラ）１４０が設けられている。本実施の形態では、撮像装置１４０は、入賞室１２５の天井部に配設されている。
撮像装置１４０には、撮像装置１４０の撮像方向を調整するための撮像装置用駆動部７０（図２参照）が設けられている。本実施の形態では、撮像装置１４０は、電動役物装置１４０内の床板１２７上の遊技球が転動する経路（領域）と遊技機１００で遊技を行っている遊技者を撮像するため用いられる。このため、撮像装置用駆動部７０は、撮像装置１４０の撮像方向を、少なくとも、電動役物装置１２０内の床板１２７上の遊技球が転動する経路（領域）を撮像する方向と遊技機１００で遊技を行っている遊技者を撮像する方向に調整可能に構成されている。
なお、電動役物装置１４０内の床板１２７上の遊技球が転動する経路（領域）を撮像する時と遊技機１００で遊技を行っている遊技者を撮像する時とで撮像装置１４０の焦点距離（ピント）を調整する必要がある場合には、焦点距離調整部を設け、撮像装置用駆動部７０を作動させるとともに焦点距離調整部を作動させるように構成するのが好ましい。勿論、撮像装置１４０として、自動焦点距離調整部を有する撮像装置を用いることもできる。
【００１１】
また、遊技機１００には、液晶表示装置等の表示装置１３０が配設されている。
本実施の形態では、電動役物装置１２０の後方側（遊技盤側）に、遊技者が画像情報を視認可能に配設されている。なお、表示装置１３０は、これ以外の種々の場所に配設することができる。例えば、入賞室１２５の前方側（遊技者側）に配設することもできる。この場合には、表示装置１３０として、遊技者が入賞室１２５内を透視可能な表示装置（例えば、透過型の液晶表示装置）を用いるのが好ましい。
【００１２】
ところで、電動役物装置１２０内に流入した遊技球が床板１２７上を転動する際、遊技機１００を叩いたり、揺すったりすることによって遊技玉の移動軌跡を変更させ、遊技球を特別入賞口１２８に入球させる不正が行われることがある。
このような不正が行われた場合、遊技機１００が振動する。そこで、本実施の形態では、不正が行われる可能性があることあるいは不正が行われたことを検出可能とするために、遊技機１００が叩かれたり、揺すられたりすることによって遊技機１００が振動していることを検出する振動センサ１５６が遊技機１００に設けられている。振動センサ１５６としては、振動による歪を検出する歪センサ等の種々の公知の振動センサを用いることができる。
ここで、電動役物装置１２０の床板１２７上を転動している遊技球の移動軌跡は、床板１２７が振動することによって変更される。したがって、振動センサ１５６は、遊技球が転動する床板１２７、すなわち、遊技球が移動する経路に配設するのが好ましい。
なお、遊技球が転動する床板１２７は電動役物装置１２０に取り付けられているため、床板１２７と電動役物装置１２０の振動状態（振動レベル等）は略等しい。このため、振動センサ１５６は、電動役物装置１２０（電動役物装置１２０の内部やケースを含む）に配設してもよい。また、遊技機１００を叩いたり、揺すったりする場合、遊技球を収容する球皿（上受け皿や下受け皿）に手を掛けて引っ張ったり、押したりすることが多い。このため、振動センサ１５６は、振動が加えられる可能性が高い球皿付近に配設してもよい。さらに、遊技機１００を叩いたり、揺すったりした場合、遊技盤の正面側に設けられているガラスが振動し易い。このため、振動センサ１５６は、ガラス部分（ガラスやガラスを支持しているガラス枠を含む）に配設してもよい。勿論、振動センサ１５６は、遊技機１００を叩いたり、揺すったりすることによって発生する振動を検出することができればよく、遊技機１００の適宜の位置に配設することができる。
【００１３】
本実施の形態のパチンコ機１００の電気的構成のブロック図を図２に示す。
図２に示すように、本実施の形態のパチンコ機１００は、主制御部（メイン制御部）１０を主体として構成されている。主制御部１０には、処理回路（ＣＰＵ）、記憶回路（ＲＯＭやＲＡＭ等）、入力インターフェイス回路や出力インターフェイス回路等が設けられている。
主制御部１０には、種々の入力信号が入力される。例えば、始動口センサ１５１、１５２、大入賞口センサ１５３、特別入賞口センサ１５４、振動センサ１５６等からの検出信号が適宜入力される。
また、主制御部１０は、入力信号や記憶回路に記憶されている制御プログラム等に基づいてコマンド信号や制御信号を出力する。例えば、表示装置１３０の表示情報を制御する表示制御部２０、スピーカ３１の発生音を制御する音制御部３０、ランプ４１の点灯を制御するランプ制御部４０、賞球の払い出しを実行する賞球装置５１を制御する賞球制御部５０等にコマンド信号を出力し、大入賞口開閉部材１２２を駆動する大入賞口用駆動部（例えば、ソレノイド）６０、撮像装置１４０の撮像方向を制御する撮像装置用駆動部７０等に制御信号を出力する。
なお、主制御部１０は、遊技店に設けられている管理装置（ホールコンピュータともいう）に、大当たり遊技状態の発生回数等の遊技に関する遊技情報や、不正遊技に関する不正情報等を送信する。
【００１４】
本実施の形態では、電動役物装置１２０が本発明の「球流入装置」に対応し、特別入賞口１５４及び一般入賞口１５６が本発明の「遊技球が入球可能な複数の領域」に対応し、特別入賞口１５４が本発明の「所定の領域」に対応し、大入賞口１２１が本発明の「球流入装置の流入部」に対応し、大入賞口開閉部材（羽根）１２２が本発明の「球流入装置の流入部を開閉する開閉部材」に対応し、大入賞口センサ１５３が本発明の「流入検出装置」に対応し、振動センサ１５６が本発明の「振動検出装置」に対応し、撮像装置１４０が本発明の「撮像装置」に対応し、表示装置１３０が本発明の「表示装置」に対応し、撮像装置用駆動部７０が本発明の「調整装置」に対応する。
また、遊技球が特別入賞口１５４に入球することによって発生する大当たり遊技状態が本発明の「特定遊技状態」に対応し、大入賞口センサ１５３から検出信号が出力されることが本発明の「所定の条件の成立」に対応する。
【００１５】
以上の構成を有する本実施の形態のパチンコ機１００の動作を以下に説明する。
まず、本実施の形態の概略を説明する。
本実施の形態は、遊技球が電動役物装置１２０内に流入しなければ遊技球が特別入賞口１５４に入球することがないことから、遊技球が電動役物装置１２０内に流入したこと（例えば、大入賞口センサ１５３から検出信号が出力されたこと）を所定の条件として用い、この所定の条件の成立に起因して、撮像装置１４０を作動させ、電動役物装置１２０内の遊技機が移動する経路を撮像する。なお、経路上を遊技球が移動している場合には、遊技球の移動状態（移動軌跡）が撮像される。そして、撮像装置１４０で撮像した、電動役物装置１２０内の遊技機が移動する経路（遊技球の移動軌跡）を表示装置１３０に表示する。
また、遊技機１００を振動させて遊技球を特別入賞口１２８に入球させる不正は、電動役物装置１２０内を遊技球が移動している状態で行われることから、遊技球が電動役物装置１２０内に流入したこと（例えば、大入賞口センサ１５３から検出信号が出力されたこと）と、遊技機１００に振動が発生したこと（例えば、振動センサ１５６から検出信号が出力されたこと）に起因して、撮像装置１４０の撮像方向を電動役物装置１２０内の遊技機が移動する経路の方向から、遊技機１００で遊技を行っている遊技者の方向に変更し、遊技者を撮像する。この場合には、不正な遊技を行っているあるいは不正な遊技を行っている可能性がある遊技者を撮像することができる。
【００１６】
次に、本実施の形態のパチンコ機１００の動作を説明する。
以下では、表示装置１３０には、電動役物装置１２０内に遊技球が流入していない時（大入賞口センサ１５３から検出信号が出力されていない時）には無表示あるいは待機時の表示情報が表示され、電動役物装置１２０内に遊技球が流入した時（大入賞口センサ１５３から検出信号が出力された時）には撮像装置１４０で撮像した電動役物装置１２０内の遊技球が移動する経路（領域）が表示され、大当たり遊技状態が発生した時（特別入賞口センサ１５４から検出信号が出力された時）には大当たり遊技状態用の表示情報が表示されるものとする。なお、大当たり遊技時においても、電動役物装置１２０内の遊技球の移動経路（移動領域）を表示装置１３０に表示させることができる。
【００１７】
発射ハンドルによって遊技盤１１１の遊技領域１１２に射出された遊技球は、釘や風車等によって流下態様を変更されながら遊技領域１１２を流下していく。
遊技球が第２種始動口１１３あるいは１１４に流入すると、当該遊技球が始動口センサ１５１あるいは１５２によって検出される。これにより、始動口センサ１５１あるいは１５２からの検出信号が主制御部１０に送られる。
主制御部１０は、始動口センサ１５１あるいは１５２からの検出信号が入力されると、賞球制御部５０にコマンド信号を出力し、第２種始動口１１３あるいは１１４に対応する数の賞球を賞球装置５１から払い出させる。
同時に、主制御部１０は、大入賞口用駆動部６０に制御信号を出力し、大入賞口開閉部材１２２を開閉動作させて大入賞口１２１を開閉させる。本実施の形態では、始動口センサ１５１が検出信号を出力した時には大入賞口開閉部材１２２を２回開閉動作させ、始動口センサ１５２が検出信号を出力した時には大入賞口開閉部材１２２を１回開閉動作させる。大入賞口開閉部材１２２が開位置にある時には、大入賞口１２１が開放され、電動役物装置１０内への遊技球の流入が許容される。一方、大入賞口開閉部材１２２が閉位置にある時には、大入賞口１２１が閉鎖され、電動役物装置１０内への遊技球の流入が規制される。
大入賞口開閉部材１２２を開閉動作させる時間（開時間や閉時間）は予め定められている
【００１８】
大入賞口開閉部材１２２が開位置にある時に大入賞口１２１に遊技球が流入すると、当該遊技球が大入賞口センサ１５３によって検出される。これにより、大入賞口センサ１５３からの検出信号が主制御部１０に送られる。
主制御部１０は、大入賞口センサ１５３からの検出信号が入力されると、所定の条件が成立したことを判別し、撮像装置１４０に制御信号を出力して作動させる。また、撮像装置１４０で撮像した撮像情報を表示制御部２０に出力し、撮像装置１４０で撮像した撮像情報を表示装置１３０に表示させる。
これにより、所定の条件の成立に起因して、電動役物装置１２０内の遊技球の移動経路の撮像情報が表示装置１３０に表示される。
ここで、電動役物装置１２０の大入賞口１２１に流入した遊技球が、特別入賞口１２８あるいは一般入賞口１２９に入球するまでの時間の最大値は電動役物装置１２０の構成等によって定まっている。そこで、本実施の形態では、主制御部１０は、大入賞口センサ１５３からの検出信号が入力されると、大入賞口１２１に流入した遊技球が特別入賞口１２８あるいは一般入賞口１２９に入球するまでの時間の最大値に対応した所定時間の間撮像装置１４０を作動させるとともに、撮像装置１４０で撮像した撮像情報を表示装置１３０に表示させる。なお、撮像装置１４０の作動を開始させてから所定時間内に大入賞口センサ１５３からの検出信号が入力されると、検出信号が入力された時点から所定時間経過するまで撮像装置１４０の作動及び撮像装置１４０で撮像した撮像情報の表示装置１３０での表示が延長される。
また、主制御部１０は、大入賞口センサ１５３からの検出信号が入力されると、賞球制御部５０にコマンド信号を出力し、大入賞口１２１に対応する数の賞球を賞球装置５１から払い出させる。
【００１９】
大入賞口１２１に流入した遊技球は、誘導部により開口部１２６に誘導され、開口部１２６から床板１２７上を特別入賞口１２８あるいは一般入賞口１２９へ向けて転動（流下）する。
この時、撮像装置１４０が作動しているため、開口部１２６から排出された遊技球が床板１２７上を特別入賞口１２８あるいは一般入賞口１２９へ向けて転動する状態が撮像装置１４０で撮像され、表示装置１３０に表示される。
正常時に、開口部１２６から排出された遊技球１６０が床板１２７上を転動して、特別入賞口１２８あるいは一般入賞口１２９に入球する状態を図３に示す。
図３の実線Ａ１〜Ａ３が、正常時の遊技球１６０の移動状態（移動軌跡）である。例えば、開口部１２６から矢印ａ１に示す方向に排出された遊技球１６０は、実線Ａ１で示す移動軌跡に沿って特別入賞口１２８に入球する。また、開口部１２６から矢印ａ２あるいは矢印ａ３に示す方向に排出された遊技球１６０は、実線Ａ２あるいはＡ３で示す移動軌跡に沿って一般入賞口１２９に入球する。
正常時における、表示装置１３０に表示される撮像装置１４０の撮像情報（すなわち、遊技球１６０の移動軌跡）の１例を図４に示す。図４は、遊技球１６０が開口部１２６から矢印ａ１方向に排出され、移動軌跡Ａ４に沿って特別入賞口１２８に入球する移動状態を示している。
【００２０】
遊技球１６０が特別入賞口１２８に入球すると、特別入賞口センサ１５４からの検出信号が主制御部１０に入力され、パチンコ機１００は大当たり遊技状態となる。大当たり遊技状態では、ラウンドと呼ばれる特別の遊技状態が設定回数実行される。ラウンドは、例えば、次ラウンドへの移行条件が満足された場合を除き、大入賞口開閉部材１２２が所定回数だけ開閉動作されるか、電動役物装置１２０内に遊技球が所定個数だけ流入するかのいずれかの条件が満足されるまで（所定の満了条件が満足されるまで）継続される。一方、ラウンド中に次ラウンドへの移行条件が満足された場合、例えば、遊技球が特別入賞口１２８に入球した場合には、次のラウンドに移行する。
このような大当たり遊技状態は、遊技球１６０が特別入賞口１２８に入球した場合にのみ実行され、一般入賞口１２９に入球した場合には実行されない。すなわち、遊技球１６０が特別入賞口１２８に入球した場合と、一般入賞口１２９に入球した場合とで、遊技者に付与される特典が異なる。
なお、主制御部１０は、特別入賞口センサ１５４からの検出信号が入力されて大当たり遊技状態を実行する場合には、音制御部３０やランプ制御部４０にコマンド信号を出力し、スピーカ３１やランプ４１により大当たり遊技時の演出音や演出光を発生させる。
【００２１】
ところで、前述したように、開口部１２６から排出された遊技球１６０が一般入賞口１２９に入球する移動軌跡に沿って移動している時に、遊技機１００を叩いたり、揺すったりすることによって、遊技球１６０の移動軌跡を変更させて特別入賞口１２８に入球させる不正が行われることがある。
開口部１２６から排出された遊技球１６０が、不正により特別入賞口１２８に入球する状態を図３に示す。
図３の破線Ｂ２、Ｂ３が、不正時の遊技球１６０の移動軌跡である。例えば、開口部１２６から矢印ａ２あるいはａ３に示す方向に排出された遊技球１６０は、正常時には移動軌跡Ａ２あるいはＡ３に沿って移動する。一方、移動軌跡Ａ２あるいはＡ３に沿って移動している時に、遊技機１００を叩いたり、揺すったりする不正が行われた場合には、例えば、鎖線Ｂ２あるいはＢ３で示す移動軌跡に沿って移動し、特別入賞口１２８に入球する。
【００２２】
この場合、遊技機１００を叩いたり、揺すったりすることによって遊技機１００が振動すると、振動センサ１５６からの検出信号が主制御部１０に送られる。
主制御部１０は、電動役物装置１２０内を遊技球が移動している状態、例えば、大入賞口センサ１５３からの検出信号が入力されてから前記所定時間（遊技球が大入賞口１２１に流入してから特別入賞口１２８あるいは一般入賞口１２９に入力するまでの最大時間に対応する時間）が経過するまでの間に、振動センサ１５６からの検出信号が入力されると、不正遊技が行われたあるいは不正遊技が行われている可能性があると判断し、撮像装置用駆動部７０に制御信号を出力する。これにより、撮像装置用駆動部７０は、撮像装置１４０の撮像方向を、電動役物装置１２０の床板１２７上の遊技球が転動する経路の方向から、遊技機１００で遊技を行っている遊技者の方向に制御する。
また、主制御部１０は、大入賞口センサ１５３からの検出信号が入力されてから所定時間経過するまでの間に振動センサ１５６からの検出信号が入力された場合には、不正が行われていることあるいは不正が行われている可能性があることを示す不正検出情報と、撮像装置１４０で撮像した遊技者の撮像情報を不正情報として管理装置（ホールコンピュータ）等に送信する。なお、撮像装置１４０で撮像した遊技者の撮像情報を表示装置１３０に表示させてもよい。
撮像装置１４０により遊技者を撮像する時間は、予め定めた一定時間とするのが好ましい。この場合、撮像装置用駆動部７０は、一定時間が経過すると、撮像装置１４０の撮像方向を電動役物装置１２０の床板１２７の方向に制御する。
【００２３】
以上のように、本実施の形態では、遊技球が電動役物装置１２０内に流入したこと（大入賞口センサ１５３から検出信号が出力されたこと）を起因として、撮像装置１４０により、電動役物装置１２０内の遊技球が移動する経路（遊技球が特別入賞口１２８あるいは一般入賞口１２９に入球する状態）を撮像するため、遊技球の移動状態、すなわち、遊技機の遊技状態を効果的に監視することができる。
また、遊技球が電動役物装置１２０内に流入したことを起因として、電動役物装置１２０内の遊技球が移動する経路が表示装置１３０に表示されるため、遊技球の移動状態の表示により遊技者に期待感を付与する効果を高めることができる。
さらに、遊技球が電動役物装置内に流入したことと、遊技機が振動していることを起因として、遊技機で遊技を行っている遊技者を撮像装置で撮像するため、不正な遊技を行っているあるいは不正な遊技を行っている可能性がある遊技者、すなわち、遊技機の遊技状態を効果的に監視することができる。
【００２４】
第１の実施の形態では、電動役物装置１２０内に遊技球が流入したこと（大入賞口センサ１５３から検出信号が出力されたこと）を起因として、撮像装置１４０による電動役物装置１２０内の遊技球が移動する経路（電動役物装置１２０内の遊技球の移動状態）の撮像を開始させるとともに、表示装置１３０に撮像情報を表示させたが、撮像装置１４０による電動役物装置１２０内の遊技球が移動する経路の撮像を常時実行させ（撮像装置１４０を常時作動させ）ておき、電動役物装置１２０内に遊技球が流入したことを起因として、撮像装置１４０で撮像した撮像情報の表示装置１３０への表示を開始させるように構成することもできる。
以下に、所定の条件の成立に起因して、電動役物装置１２０内の遊技球が移動する経路を撮像する撮像装置の撮像情報を表示装置に表示し、さらに、振動センサ１５６からの検出信号の出力に起因して、撮像装置１４０により遊技者を撮像する第２の実施の形態を説明する。
本実施の形態は、図１、図２に示す構成を用いることができる。
本実施の形態では、主制御部１０は、例えば、遊技機１００の作動時（電源オン時）あるいは発射レバーが操作された時、撮像装置１４０に制御信号を出力して撮像装置１４０を作動状態とする。
そして、主制御部１０は、遊技球が電動役物装置１２０の大入賞口１２１に流入することによって大入賞口センサ１５３からの検出信号が入力されると、撮像装置１４０で撮像している電動役物装置１２０内の遊技球が移動する経路（遊技球の移動状態）の撮像情報を表示制御部２０に出力し、表示装置１３０に表示させる。
また、主制御部１０は、大入賞口センサ１５３からの検出信号が入力されてから前記した所定時間が経過するまでの間に振動センサ１５６からの検出信号が入力されると、撮像装置用駆動部７０に制御信号を出力して撮像装置１４０の撮像方向を遊技者の方向に調整する。
【００２５】
本実施の形態においても、電動役物装置１２０内に遊技球が流入したこと、例えば、大入賞口センサ１５３からの検出信号が出力されたことを起因として、電動役物装置１２０内の遊技球が移動する経路（遊技球の移動状態）が表示装置１３０に表示される。
このため、遊技球の移動状態、すなわち、遊技機の遊技状態を効果的に監視することができる。また、遊技球の移動状態の表示により遊技者に期待感を付与する効果を高めることもできる。
さらに、遊技球が電動役物装置１２０内に流入したことと、遊技機が振動していることを起因として、遊技機で遊技を行っている遊技者を撮像装置１４０で撮像するため、不正遊技を行っているあるいは不正遊技を行っている可能性がある遊技者、すなわち、遊技機の遊技状態を効果的に監視することができる。
【００２６】
第１及び第２の実施の形態では、遊技球が電動役物装置１２０内に流入したことと、遊技機が振動していることを起因として、遊技機で遊技を行っている遊技者を撮像装置で撮像したが、遊技機で遊技を行っている遊技者を撮像する処理は省略することもできる。
以下に、所定の条件の成立に起因して、電動役物装置１２０内の遊技球が移動する経路の撮像情報を表示装置１３０に表示させる第３の実施の形態を説明する。電動役物装置１２０内の遊技球が移動する経路の撮像情報を表示装置１３０に表示させる方法としては、例えば、第１の実施の形態の方法や第２の実施の形態の方法を用いることができる。
本実施の形態は、図１、図２に示す構成を用いることができるが、撮像装置用駆動部７０と振動センサ１５７は省略可能である。
本実施の形態では、電動役物装置１２０内に遊技球が流入して大入賞口センサ１５３から検出信号が出力されると、第１の実施の形態のように、電動役物装置１２０内の遊技球が移動する経路を撮像する撮像装置１４０を作動させるとともに、撮像装置１４０で撮像した撮像情報を表示装置１３０に表示させ、あるいは、第２の実施の形態のように、撮像装置１４０で撮像している、電動役物装置１０内の遊技球が移動する経路の撮像情報を表示装置１３０に表示させる。
正常時には、表示装置１３０には、例えば、図４に示すような遊技球１６０の移動状態（移動軌跡）が表示される。
一方、電動役物装置１２０の床板１２７上を遊技球１６０が転送している時に遊技機１００を叩いたり、揺すったりして、遊技機１６０の移動軌跡が変更された場合、すなわち、不正遊技時には、表示装置１３０には、例えば、図５に示すような遊技球１６０の移動状態（移動軌跡）が表示される。図５は、遊技球１６０が開口部１２６から矢印ａ３方向に排出されたが、床板１２７を転動中に遊技機１００が叩かれ、あるいは揺すられて移動軌跡Ｂ４に沿って特別入賞口１２８に入球した状態を示している。
【００２７】
本実施の形態においても、遊技球が電動役物装置１２０内に流入したこと（大入賞口センサ１５３から検出信号が出力されたこと）を起因として、撮像装置１４０により電動役物装置１２０内の遊技球が移動する経路（遊技球の移動状態）を撮像するとともに、撮像装置の撮像情報が表示装置１３０に表示され、あるいは、電動役物装置１２０内の遊技球が移動する経路（遊技球の移動状態）を撮像している撮像装置１４０の撮像情報が表示装置１３０に表示される。
このため、遊技球の移動状態、すなわち、遊技機の遊技状態を効果的に監視することができる。また、遊技球の移動状態の表示により遊技者に期待感を付与する効果を高めることもできる。
【００２８】
第１〜第３の実施の形態では、電動役物装置１２０内の遊技球が移動する経路を撮像装置１４０で撮像することによって、電動役物装置１２０内の遊技球の移動状態を監視したが、電動役物装置１２０内の遊技球の移動状態を監視する方法はこれに限定されない。
電動役物装置１２０内の遊技球の移動状態を監視する方法として、電動役物装置１２０内の遊技球の位置を検出して位置検出信号を出力する位置検出装置を用いた第４の実施の形態を以下に説明する。
本実施の形態は、図１、図２に示す構成を用いることができるが、撮像装置１４０、撮像装置用駆動部７０は省略可能であり、また、電動役物装置１０内の遊技球の位置を検出する位置センサ１５７が設けられる（図２参照）。
【００２９】
本実施の形態では、図６に示すように、電動役物装置１２０の開口部１２６から排出された遊技球１６０が床板１２７上を転動して特別入賞口１２８あるいは一般入賞口１２９に入球する経路（領域）上に、遊技球１６０の位置を検出して位置検出信号を出力する位置センサ１５７が設けられている。位置センサ１５７は、例えば、位置センサ部ａ１〜ａ８、ｂ１〜ｂ８、ｃ１〜ｃ８を有している。位置センサ１５７としては、例えば、個別の位置センサ部ａ１〜ａ８、ｂ１〜ｂ８、ｃ１〜ｃ８により構成される位置センサを用いることもできるし、位置センサ部ａ１〜ａ８、ｂ１〜ｂ８、ｃ１〜ｃ８が配設されたシート状の位置センサを用いることもできる。
また、記憶装置、例えば、表示制御部２０の記憶装置に、開口部１２６から排出された遊技球が床板１２７上を転動して特別入賞口１２８あるいは一般入賞口１２９に入球する際に、位置センサ１５７の位置センサ部ａ１〜ａ８、ｂ１〜ｂ８、ｃ１〜ｃ８からの位置検出信号の出力パターン（出力順序）に対応する遊技機１６０の移動状態を表示装置１３０に表示するための表示パターンを記憶させる。この場合、表示速度を低下させずに、また、記憶装置の記憶容量を低減させるために、例えば、床板１２７、特別入賞口１２８及び一般入賞口１２９を表示する固定の背景画像情報と、床板１２７上における遊技球１６０の種々の移動パターン（正常時の移動パターンと不正時の移動パターン）に対応する移動パターン画像情報を記憶させておくのが好ましい。
【００３０】
本実施の形態では、電動役物装置１２０が本発明の「球流入装置」に対応し、特別入賞口１２８及び一般入賞口１２９が本発明の「遊技球が入球可能な複数の領域」に対応し、特別入賞口１２８が本発明の「所定の領域」に対応し、大入賞口センサ１５３が本発明の「流入検出装置」に対応し、位置センサ１５７（ａ１〜ａ８、ｂ１〜ｂ８、ｃ１〜ｃ８）が本発明の「位置検出装置」に対応する。
【００３１】
本実施の形態の動作を説明する。なお、基本的な動作は第１の実施の形態と同様であるため、簡略化して説明する。
主制御部１０は、遊技球が第２種始動口１１３あるいは１１４に流入して始動口センサ１５１あるいは１５２からの検出信号が入力されると、大入賞口用駆動部６０に制御信号を出力し、大入賞口開閉部材１２２を開閉動作させて大入賞口１２１を開閉させる。
また、主制御部１０は、大入賞口１２１に遊技球が流入して大入賞口センサ１５３からの検出信号が入力されると、位置センサ１５７、すなわち、各位置センサ部ａ１〜ａ８、ｂ１〜ｂ８、ｃ１〜ｃ８からの位置検出信号の出力順序に基づいて床板１２７上の遊技球１６０の移動状態（移動軌跡）を判別し、判別した移動状態（移動軌跡）に対応する移動パターン情報をコマンド信号として表示制御部２０に出力する。移動パターン情報としては、位置検出信号を出力した位置センサ部ａ１〜ａ８、ｂ１〜ｂ８、ｃ１〜ｃ８を示す情報（例えば、ａ４、ｂ４）を用いてもよいし、位置検出信号の出力パターンを示すパターン識別情報（例えば、ａ４→ｂ４の出力パターンを示すパターン番号）を用いてもよい。表示制御部２０は、主制御部１０からコマンド信号として入力された移動パターン情報に対応する移動パターン画像情報と、背景画像情報を記憶回路から読み出して表示装置１３０に表示する。
例えば、正常時には、図４に示すような、移動軌跡Ａ４（ａ４→ｂ４→ｃ４）に沿った移動パターン画像情報が表示装置１３０に表示される。一方、不正遊技時（異常時）には、図５に示すように、移動軌跡Ｂ４（ａ７→ｂ７→ｃ６）に沿った移動パターン画像情報が表示装置１３０に表示される。
遊技球１６０が特別入賞口１２８あるいは一般入賞口１２９に入球した後の動作は、第１の実施の形態と同様である。
【００３２】
以上のように、本実施の形態では、遊技球が電動役物装置１２０内に流入したこと（大入賞口センサ１５３から検出信号が出力されたこと）を起因として、位置センサ１７３から出力される遊技球の位置検出信号の出力順序に基づいて電動役物装置１２０内に流入した遊技球の移動状態（移動軌跡）を判別するため、遊技球の移動状態を効果的に監視することができる。
また、遊技球が電動役物装置１２０内に流入したことを起因として、位置センサ１７３からの検出信号の出力順序に対応する、電動役物装置１２０内の遊技球の移動状態（移動軌跡）が表示装置１３０に表示されるため、遊技機の移動状態の表示により遊技者に期待感を付与する効果を高めることができる。
【００３３】
第１〜第４の実施の形態では、電動役物装置１２０内に遊技球が流入したことにより、電動役物装置内１２０に流入した遊技球の移動経路を撮像した撮像情報を表示装置１３０に表示し、あるいは、位置センサ１５７からの位置検出信号の出力順序に対応する遊技球の移動状態（移動軌跡）を表示装置１３０に表示したが、電動役物装置１２０内に遊技球が流入したことと、遊技機１００が叩かれたり、揺すられたりしたこととにより、電動役物装置１２０内の遊技球の移動経路あるいは移動状態（移動軌跡）を表示装置１３０に表示し、あるいは管理装置（ホールコンピュータ）等に送信するように構成することもできる。
例えば、電動役物装置１２０内に遊技球が流入して大入賞口センサ１５３から検出信号が出力されたことにより、撮像装置１４０による電動役物装置１２０内の遊技球の移動経路の撮像情報を主制御部１０あるいは表示制御部２０の記憶回路に記憶させる。そして、大入賞口センサ１５３から検出信号が出力されてから前記所定時間が経過する前に振動センサ１５６から検出信号が出力された時に、記憶している撮像装置１４０の撮像情報（大入賞口センサ１５３から検出信号が出力された時点からの撮像情報）を表示装置１３０に表示させる。
あるいは、電動役物装置１２０内に遊技球が流入して大入賞口センサ１５３から検出信号が出力されたことにより、位置センサ１５７からの位置検出信号の出力順序を主制御部１０あるいは表示制御部２０の記憶回路に記憶させる。そして、大入賞口センサ１５３から検出信号が出力されてから前記所定時間が経過する前に振動センサ１５６から検出信号が出力されると、記憶している位置センサ１５７からの位置検出信号の出力順序に対応する移動パターン画像情報を表示装置１３０に表示させる。
なお、遊技機１００が叩かれたり、揺すられたりしたことを検出する方法としては、振動センサ１５６から検出信号が出力されたことにより検出する方法に代えて、位置センサ１５７からの位置検出信号の出力順序に対応する遊技球の移動状態（移動軌跡）に基づいて検出する方法を用いることもできる。例えば、位置検出信号の出力順序に対応する遊技球の移動軌跡を正常時の移動軌跡（例えば、ａ２→ｂ２→ｂ１→ｃ１の移動軌跡Ａ２）及び異常時（不正遊技時）の移動軌跡（例えば、ａ２→ｂ２→ｃ２→ｃ３の移動軌跡Ｂ２）と比較することによって検出する。
また、撮像装置の撮像情報あるいは位置検出信号の出力順序に対応する遊技球の移動状態（移動軌跡）を表示装置１３０に表示する時期としては、遊技機１００が叩かれたり、揺すられたりしたことを検出した時点以降の任意の時期を設定することができる。
さらに、表示装置１３０に表示する範囲としては、例えば、大入賞口センサ１５３から検出信号が出力された時点から、遊技機１００が叩かれたり、揺すられたりしたことを検出した時点まであるいは特別入賞口センサ１５４から検出信号が出力される時点までの範囲を選択することができる。
このような構成を用いた場合には、表示装置１３０に表示情報を表示するための処理負担を軽減することができる。
【００３４】
また、電動役物装置１２０内に遊技球が流入したことと、遊技機１００が叩かれたり、揺すられたりしたことに加えて、遊技球が特別入賞口１２８に流入したことにより、電動役物装置１２０内の遊技球の移動経路あるいは移動状態（移動軌跡）を表示装置１３０に表示し、あるいは管理装置（ホールコンピュータ）等に送信するように構成することもできる。
例えば、大入賞口センサ１５３から検出信号が出力されたことにより、電動役物装置１２０内の遊技球の移動経路の撮像情報あるいは位置センサ１５７からの位置検出信号の出力順序の記憶を開始させる。そして、大入賞口センサ１５３から検出信号が出力されてから前記所定時間が経過する前に振動センサ１５６及び特別入賞口センサ１５４から検出信号が出力された時に、記憶している撮像情報あるいは位置センサ１５７からの位置検出信号の出力順序に対応する移動パターン情報（例えば、大入賞口センサ１５３から検出信号が出力された時点から、特別入賞口センサ１５４から検出信号が出力された時点までの）を表示装置１３０に表示させる。
この場合にも、前述した、位置センサ１５７からの位置検出信号に基づいて遊技機１００が叩かれたり、揺すられたりしたことを検出する方法を用いることができる。
この方法を用いた場合には、遊技機１００が叩かれたり、揺すられたりしたことによって遊技球が特別入賞口１２８に入球した状態を監視するため、不正遊技が行われた可能性が高い遊技機の遊技状態のみを監視することができる。さらに、表示装置１３０に表示情報を表示するための処理負担をより軽減することができる。
【００３５】
また、電動役物装置１２０内に遊技球が流入したことと、遊技球が特別入賞口１２８に流入したこととにより、電動役物装置１２０内の遊技球の移動経路あるいは移動状態（移動軌跡）を表示装置１３０に表示するように構成することもできる。
例えば、大入賞口センサ１５３から検出信号が出力されたことにより、電動役物装置１２０内の遊技球の移動経路の撮像情報あるいは位置センサ１５７からの位置検出信号の出力順序の記憶を開始させる。そして、大入賞口センサ１５３から検出信号が出力されてから前記所定時間が経過する前に特別入賞口センサ１５４から検出信号が出力された時に、記憶している撮像情報あるいは位置センサ１５７からの位置検出信号の出力順序に対応する移動パターン情報（例えば、大入賞口センサ１５３から検出信号が出力された時点から、特別入賞口センサ１５４から検出信号が出力された時点までの）を表示装置１３０に表示させる。
この場合にも、前述した、位置センサ１５７からの位置検出信号に基づいて遊技機１００が叩かれたり、揺すられたりしたことを検出する方法を用いることができる。
撮像装置の撮像情報あるいは位置検出信号の出力順序に対応する遊技球の移動状態（移動軌跡）を表示装置１３０に表示する時期は、特別入賞口センサ１５４から検出信号が出力された時点でもよいし、特別入賞口１２８に遊技球が入球することにより実行される大当たり遊技状態のラウンド中（例えば、ラウンドの開始時）でもよい。
このような構成とした場合には、遊技球が特別入賞口に１２８に入球して大当たり状態になった時に遊技球が特別入賞口１２８に入球する状態が表示されるため、遊技球の移動状態、すなわち、遊技機の遊技状態をより効果的に監視することができる。また、演出効果を高めることができるとともに、表示装置１３０に表示情報を表示するための処理負担を軽減することができる。
【００３６】
また、第１〜第３の実施の形態では、電動役物装置１２０内に遊技機が流入したことによって、撮像装置１４０により電動役物装置１２０内の遊技球の移動経路を撮像し、さらに、遊技機が叩かれたり、揺すられたりすることによって、撮像装置１４０により遊技者を撮像したが、遊技機が叩かれたり、揺すられたりすることによって撮像装置１４０により遊技者を撮像するように構成することもできる。
例えば、振動センサ１５６から検出信号が出力されると（所定の条件の成立に起因して）、主制御部１０は、撮像装置１４０に制御信号を出力して、遊技機１００で遊技を行っている遊技者を撮像させる。この場合、撮像装置１４０の撮像方向の調整が必要な場合には、撮像装置用駆動部６０にも制御信号を出力する。
この場合にも、前述した、位置センサ１５７からの位置検出信号に基づいて遊技機１００が叩かれたり、揺すられたりしたことを検出する方法を用いることができる。
このような構成を用いた場合でも、遊技機１００が叩かれたり、揺すられたりしたことに起因して遊技者を撮像するため、不正な遊技を行っている可能性がある遊技者、すなわち、遊技機の遊技状態を効果的に監視することができる。
【００３７】
また、電動役物装置１２０内に遊技球が流入した（例えば、大入賞口センサ１５３から検出信号が出力した）ことと、遊技機１００が叩かれたり、揺すられたりしたこと（例えば、振動センサ１５６から検出信号が出力されたこと、あるいは、位置センサ１５７からの位置検出信号の出力順序に対応する遊技球の移動状態（移動軌跡）が異常であること）とに起因して、主制御部１０から撮像装置１４０に制御信号を出力して、撮像装置１４０により遊技者を撮像するように構成することもできる。
遊技球が電動役物装置１２０内に流入していない状態で、遊技機１００が叩かれたり、揺すられたりすることもある。したがって、このような構成とした場合には、不正な遊技を行っている可能性が高い遊技者を監視することができる。また、撮像情報を送信しあるいは表示するための処理負担を軽減することができる。
【００３８】
また、電動役物装置１２０内に遊技球が流入したことと、遊技機１００が叩かれたり、揺すられたりしたことと、遊技球が特別入賞口１２８に流入したこととにより、撮像装置１４０により遊技者を撮像するように構成することもできる。
例えば、大入賞口センサ１５３から検出信号が出力されてから前記所定時間が経過する前に振動センサ１５６及び特別入賞口センサ１５４から検出信号が出力された時に、撮像装置１４０に制御信号を出力して遊技機１００で遊技を行っている遊技者を撮像させる。
このような構成を用いた場合には、不正な遊技を行った可能性が高い遊技者を監視することができる。また、撮像情報を送信しあるいは表示するための処理負担をより軽減することができる。
【００３９】
また、以上の実施の形態では、振動センサ１５６から検出信号が出力され時に遊技球の移動状態の表示処理や遊技者の撮像処理を実行したが、振動センサ１５６からの検出信号の出力頻度や出力時期を考慮して所定の処理を実行するように構成することもできる。例えば、振動センサ１５６からの検出信号の出力頻度が設定頻度を超えた時（例えば、一定時間内における、振動センサ１５６から検出信号が出力された回数が設定回数以上となった時）、あるいは、振動センサ１５６からの検出信号の出力時期が所定の時期に集中している時（例えば、一定時間内における、大入賞口センサ１５３から検出信号が出力されてから設定時間内に振動センサ１５６から検出信号が出力された回数が設定回数以上となった時）に遊技球の移動状態の表示処理や遊技者の撮像処理を実行するように構成することができる。
このような構成を用いた場合には、不正遊技が行われていることあるいは不正な遊技が行われたことを一層確実に判別することができる。
【００４０】
本発明は、前記した実施の形態の構成に限定されることなく種々の変更、追加、削除が可能である。
例えば、位置検出装置からの位置検出信号に基づいて遊技球の移動状態を検出する方法を用いたが、遊技球の移動状態を検出する方法としてはこれ以外の方法を用いることができる。たとえば、撮像装置の撮像情報に基づいて遊技機の移動状態を判別する方法を用いることもできる。
また、第２種パチンコ機について説明したが、本発明は、第１種パチンコ機や第３種パチンコ機等の種々のパチンコ機に適用することができる。さらに、パチンコ機に限定されず、スロットマシンやアレンジボール等の種々の遊技機に適用することができる。
また、電動役物装置内の遊技球の移動状態を監視する場合について説明したが、本発明は、電動役物装置以外の種々の球流入装置内の遊技球の移動状態を監視する場合に適用することができる。さらに、開閉部材を有していない流入部から遊技球が流入する球流入装置内の遊技機の移動状態を監視する場合にも適用することができる。
また、主制御部から各制御部や駆動部にコマンド信号や制御信号を出力する構成としたが、主制御部の下流側に副制御部を設け、主制御部からのコマンド信号や制御信号を副制御部を介して各制御部や駆動部に出力するように構成することもできる。
また、検出信号を主制御部に入力させ主制御部で所定の条件の成立等の判別処理を実行したが、検出信号を表示制御部、撮像装置や撮像装置用駆動部に入力させ表示制御部、撮像装置や撮像装置用駆動部で所定の条件の成立等の判別処理を実行してもよい。
【００４１】
また、本発明は、以下のように構成することもできる。
例えば、「［態様１］流入した遊技球が入球可能な複数の領域を有する球流入装置を備え、遊技球が前記球流入装置の所定の領域に入球することによって特定遊技状態を発生させる遊技機であって、前記球流入装置内の遊技球が移動する経路を撮像する撮像装置と、所定の条件の成立に起因して、前記撮像装置で撮像した撮像情報を表示する表示装置を備える、ことを特徴とする遊技機。」として構成することができる。
態様１の遊技機は、球流入装置内の遊技機が移動する経路を撮像可能な撮像装置と、所定の条件の成立に起因して、撮像装置で撮像した撮像情報を表示する表示装置を備えている。
なお、各用語の説明は、前述したとおりである。
態様１の遊技機を用いれば、所定の条件が成立した時に、球流入装置内の遊技球が移動する経路を表示装置に表示するため、遊技球の移動状態、すなわち、対遊技機の遊技状態を効果的に監視することができるとともに、遊技球の移動状態を表示することにより遊技者に期待感を付与する効果を高めることができる。
また、「［態様２］請求項１または態様１の遊技機であって、前記球流入装置に遊技球が流入したことを検出して検出信号を出力する流入検出装置を備え、前記流入検出装置から検出信号が出力されたことにより前記所定の条件が成立したものとする、ことを特徴とする遊技機。」として構成することができる。
態様２の遊技機では、球流入装置に遊技球が流入したことを検出する流入検出装置から検出信号が出力されたことにより所定の条件が成立したものとしている。
態様２の遊技機を用いれば、遊技球の移動状態を効率よく監視することができる。
また、「［態様３］請求項１、態様１、２のいずれかの遊技機であって、前記撮像装置は、遊技球が前記所定の領域に入球する経路を撮像する、ことを特徴とする遊技機。」として構成することができる。
態様３の遊技機では、撮像装置により、遊技球が所定の領域に入球する経路を撮像する。
態様３の遊技機を用いれば、特定遊技状態を発生させる所定の領域に遊技球が入球する経路を撮像するため、遊技者に期待感を付与する効果をより高めることができる。
また、「［態様４］請求項1、態様１〜３のいずれかに記載の遊技機であって、振動を検出して検出信号を出力する振動検出装置と、前記撮像装置の撮像方向を調整可能な調整装置を備え、前記調整装置は、前記所定の条件が成立するとともに、前記振動検出装置から検出信号が出力されたことに起因して、前記撮像装置の撮像方向を、遊技を行っている遊技者を撮像する方向に調整する、ことを特徴とする遊技機。」として構成することができる。
振動検出装置としては、遊技機が叩かれたり、揺すられたりしたことを検出することができれば種々の検出装置を用いることができる。また、振動検出装置は、遊技機が叩かれたり、揺すられたりしたことを検出することができれば種々の配設位置に配設することができるが、遊技球が移動する経路あるいは球入賞装置に配設するのが好ましい。
また、調整装置としては、撮像装置の撮像方向を、少なくとも、球流入装置内の遊技球が移動する経路の方向と、遊技機を行っている遊技者の方向に調整可能であればよい。また、撮像装置の焦点距離を調整する焦点距離調整部を備えていてもよい。
また、所定の条件の成立と振動検出装置から検出信号が出力されたことの判別処理は、調整装置が実行してもよいし他の装置（例えば、主制御部）が実行してもよい。他の装置が実行する場合には、調整装置は、他の装置からの制御信号によって撮像装置の撮像方向を調整する。
態様４の遊技機では、所定の条件の成立と、振動検出装置からの検出信号の出力とに起因して、撮像装置の撮像方向を遊技者の方向に調整する。
態様４の遊技機を用いれば、不正を行った遊技者、すなわち、遊技機の遊技状態を効果的に監視することができる。
また、「［態様５］請求項１、態様１〜４のいずれかに記載の遊技機であって、前記流入装置に流入した遊技球の位置を検出して位置検出信号を出力する位置検出装置と、前記撮像装置の撮像方向を調整可能な調整装置を備え、前記調整装置は、前記所定の条件が成立するとともに、前記位置検出装置からの位置検出信号の出力順序に対応する遊技球の移動状態が異常であることに起因して、前記撮像装置の撮像方向を、遊技を行っている遊技者を撮像する方向に調整する、ことを特徴とする遊技機。」として構成することができる。
態様５の遊技機では、所定の条件が成立したことと、遊技球の位置を検出する位置検出装置からの位置検出信号の出力順序に対応する遊技機の移動状態が異常であることとに起因して、撮像装置の撮像方向を遊技者の方向に調整する。
位置検出装置としては、遊技球が移動する経路上における遊技球の位置を検出することができればよく、複数の位置センサ部を組み合わせたものでもよいし、複数の位置検出信号を出力するものでもよい。
遊技機の移動状態が異常であることは、例えば、位置検出装置からの位置検出信号の出力順序と正常時の出力順序が異なることによって判別することができる。
態様５の遊技機を用いれば、不正を行った遊技者、すなわち、遊技機の遊技状態を効果的に監視することができる。特に、本発明では、位置検出装置を用いているため、安価であり、また、設置が容易である。
また、「［態様６］流入した遊技球が入球可能な複数の領域を有する球流入装置を備え、遊技球が前記球流入装置の所定の領域に入球することによって特定遊技状態を発生させる遊技機であって、前記球流入装置内の遊技球が移動する経路を撮像する撮像装置と、振動を検出して検出信号を出力する振動検出装置と、所定の条件が成立するとともに、前記振動検出装置から検出信号が出力されたことに起因して、前記所定の条件が成立した時点以降に前記撮像装置で撮像した、前記球流入装置内の遊技球が移動する経路の撮像情報を表示する表示装置を備える、ことを特徴とする遊技機。」として構成することができる。
態様６の遊技機では、所定の条件の成立と、振動検出装置からの検出信号の出力とに起因して、所定の条件が成立した時点からの、球流入装置内の遊技球が移動する経路の撮像情報を表示装置に表示する。
撮像情報の表示時期や表示範囲は適宜変更可能である。
態様６の遊技機を用いれば、不正遊技が行われた可能性が高い場合に、所定の条件が整地した時点からの遊技球の移動経路の撮像情報を表示するため、遊技球の移動状態、すなわち、遊技機の遊技状態を効果的に監視することができる。
また、「［態様７］流入した遊技球が入球可能な複数の領域を有する球流入装置を備え、遊技球が前記球流入装置の所定の領域に入球することによって特定遊技状態を発生させる遊技機であって、前記流入装置内に流入した遊技球の位置を検出して位置検出信号を出力する位置検出装置と、所定の条件の成立に起因して、前記位置検出装置からの位置検出信号の出力順序に対応する遊技球の移動状態を表示する表示装置を備える、ことを特徴とする遊技機。」として構成することができる。
態様７の遊技機では、所定の条件が成立したことに起因して、球流入装置内の遊技機の位置を検出する位置検出装置からの位置検出信号の出力順序に対応する遊技機の移動状態を表示装置に表示する。
態様７の遊技機を用いれば、安価な位置検出装置を用いるだけで、遊技球の移動状態、すなわち、遊技機の遊技状態を効果的に監視することができる。
また、「［態様８］流入した遊技球が入球可能な複数の領域を有する球流入装置を備え、遊技球が前記球流入装置の所定の領域に入球することによって特定遊技状態を発生させる遊技機であって、前記流入装置内に流入した遊技球の位置を検出して位置検出信号を出力する位置検出装置と、振動を検出して検出信号を出力する振動検出装置と、所定の条件が成立するとともに、前記振動検出装置から検出信号が出力されたことに起因して、前記所定の条件が成立した時点以降における前記位置検出装置からの位置検出信号の出力順序に対応する遊技球の移動状態を表示する表示装置を備える、ことを特徴とする遊技機。」として構成することができる。
遊技機の移動状態の表示時期や表示範囲は適宜変更可能である。
態様８の遊技機では、所定の条件の成立と、振動検出装置からの検出信号の出力とに起因して、所定の条件が成立した時点からの、位置検出装置からの位置検出信号の出力順序に対応する遊技球の移動状態を表示装置に表示する。
態様８の遊技機を用いれば、不正遊技が行われた可能性が高い場合に、所定の条件が整地した時点からの遊技球の移動経路の撮像情報を表示するため、遊技球の移動状態、すなわち、遊技機の遊技状態を効果的に監視することができる。
また、「［態様９］流入した遊技球が入球可能な複数の領域を有する球流入装置を備え、遊技球が前記球流入装置の所定の領域に入球することによって特定遊技状態を発生させる遊技機であって、振動を検出して検出信号を出力する振動検出装置を備え、前記振動検出装置から検出信号が出力されることに起因して、遊技を行っている遊技者を撮像する撮像装置を備える、ことを特徴とする遊技機。」として構成することができる。
態様９の遊技機は、振動検出装置から検出信号が出力されることに起因して、撮像装置により遊技者を撮像する。
態様９の遊技機を用いれば、不正を行っている遊技者、すなわち、遊技機の遊技状態を効果的に監視することができる。
また、「［態様１０］流入した遊技球が入球可能な複数の領域を有する球流入装置を備え、遊技球が前記球流入装置の所定の領域に入球することによって特定遊技状態を発生させる遊技機であって、前記流入装置に流入した遊技球の位置を検出して位置検出信号を出力する位置検出装置を備え、前記位置検出装置からの位置検出信号の出力順序に対応する遊技球の移動状態が異常であることに起因して、遊技を行っている遊技者を撮像する撮像装置を備える、ことを特徴とする遊技機。」として構成することができる。
態様１０の遊技機は、位置検出装置からの位置検出信号の出力順序に対応する遊技球の移動状態が異常であることに起因して、撮像装置により遊技者を撮像する。
態様１０の遊技機を用いれば、不正を行っている遊技者、すなわち、遊技機の遊技状態を効果的に監視することができる。特に、本発明では、位置検出装置を用いているため、安価であり、また、位置検出装置の配設も容易である。
また、「［態様１１］態様９または１０の遊技機であって、前記球流入装置に遊技球が流入したことを検出して検出信号を出力する流入検出装置を備え、前記撮像装置は、流入検出装置から検出信号が出力されたことと、前記振動検出装置から検出信号が出力されたこと、あるいは、前記位置検出装置からの位置検出信号の出力順序に対応する遊技球の移動状態が異常であることに起因して、遊技を行っている遊技者を撮像する、ことを特徴とする遊技機。」として構成することができる。
態様１１の遊技機は、球流入装置内に遊技球が流入したことと、始動検出装置が動作したこと、あるいは、位置検出装置からの位置検出信号の出力順序に対応する遊技球の移動状態が異常であることとに起因して、撮像装置により遊技者を撮像する。
態様１１の遊技機を用いれば、不正を行っている遊技者、すなわち、遊技機の遊技状態を確実に監視することができる。
【図面の簡単な説明】
【００４２】
【図１】本発明の遊技機の一実施の形態であるパチンコ機の遊技盤の全体構成を示す図である。
【図２】本発明の遊技機の一実施の形態であるパチンコ機の電気的構成を示すブロック図である。
【図３】電動役物装置の入賞室内を遊技球が移動する状態を示す図である。
【図４】正常時の遊技球の移動状態を示す図である。
【図５】異常時の遊技球の移動状態を示す図である。
【図６】電動役物装置の入賞室内を移動する遊技球の位置を検出する位置検出センサを設けた状態を示す図である。
【符号の説明】
【００４３】
１０  主制御部
２０  表示制御部
２１  表示装置
６０  大入賞口用駆動部
７０  撮像装置用駆動部
１００  パチンコ機
１１１  遊技盤
１１２  遊技領域
１１３、１１４  第２種始動口
１２０  電動役物装置
１２１  大入賞口
１２２  大入賞口開閉部材
１２５  入賞室
１２６  開口部
１２７  床板
１２８  特別入賞口
１２９  一般入賞口
１３０  表示装置
１４０  撮像装置
１５１、１５２  始動口センサ
１５３  大入賞口センサ
１５４  特別入賞口センサ
１５５  一般入賞口センサ
１５６  振動センサ
１５７  位置センサ
【図１】
2005230198.tif 000003
【図２】
2005230198.tif 000004
【図３】
2005230198.tif 000005
【図４】
2005230198.tif 000006
【図５】
2005230198.tif 000007
【図６】
2005230198.tif 000008